(57)【要約】【課題】耐圧強度に優れた包装箱を安定して積み上げることができ、側壁の印刷が保護され、ロック片による頂壁の開放ロックも支障なくできるようにする。【解決手段】側壁１と端壁２とをコーナー部を介して連設し、これらに底壁３及び頂壁４を連設した厚紙製包装箱において、前記側壁１と底壁３及び頂壁４との境界となる罫線８には、両端寄り及びその中間に水平直線部８ａ，８ｂを設け、両端側の水平直線部８ａと中間の水平直線部８ｂとの間に、側壁１の中心側へ傾いた傾斜部８ｃを設け、両端側の水平直線部８ａの長さを、端壁２の幅の１／２より大きな寸法に設定する。また、中間の水平直線部８ｂに交差する２本の切目線を入れてロック片１０を形成し、頂壁４を開いてロック片１０を折り曲げると、頂壁４が開放状態でロックされるようにする。底壁３及び頂壁４の両端部に平坦な水平面部分が形成され、安定して積み上げられるようになる。【選択図】図３
2011111213.tif 000002
【特許請求の範囲】
【請求項１】
側壁(1)と端壁(2)とをコーナー部を介して連設し、これらに底壁(3)及び頂壁(4)を連設した厚紙製包装箱において、前記側壁(1)と底壁(3)及び頂壁(4)との境界となる罫線(8)には、両端寄り及びその中間に水平直線部(8a,8b)を設け、両端側の水平直線部(8a)と中間の水平直線部(8b)との間に、側壁(1)の中心側へ傾いた傾斜部(8c)を設けたことを特徴とする厚紙製包装箱。
【請求項２】
前記罫線(8)の両端側の水平直線部(8b)の長さを、端壁(2)の幅の１／２より大きな寸法に設定したことを特徴とする請求項１に記載の厚紙製包装箱。
【請求項３】
前記側壁(1)と頂壁(4)との稜部に、罫線(8)の中間の水平直線部(8b)に交差する２本の切目線を入れてロック片(10)を形成し、頂壁(4)を開いてロック片(10)を折り曲げると、頂壁(4)が開放ロックされることを特徴とする請求項１又は２に記載の厚紙製包装箱。
【発明の詳細な説明】
【技術分野】
【０００１】
この発明は、上下の罫線を曲げて耐圧強度を向上させた厚紙製包装箱に関する。
【背景技術】
【０００２】
従来、この種の厚紙製包装箱として、下記特許文献１には、図７に示すように、側壁５１と端壁５２とをコーナー部を介して連設し、これらに内フラップ５６及び外フラップ５７から成る底壁５３及び頂壁５４を連設し、側壁５１と外フラップ５７との境界となる罫線５５を、側壁５１の中心側へ向けてＶ字状に傾けたものが記載されている。
【０００３】
この包装箱では、底壁５３及び頂壁５４において、長手方向で側壁５１との稜線中間部が凹んだ状態となり、側壁５１の長手方向の中間部より強度に優れたコーナー部に大きな荷重を負担させることができるので、重量物を収納して段積みする場合などにも、胴膨れ等の変形を防止することができる。
【先行技術文献】
【特許文献】
【０００４】
【特許文献１】特開２００７−３９０９０号公報
【発明の概要】
【発明が解決しようとする課題】
【０００５】
しかしながら、上記のような包装箱では、段積みに際し、上段側と下段側の包装箱がずれると、積上状態が不安定となるおそれがあった。
【０００６】
また、横に並べた包装箱の側壁５１同士が、長手方向の中間部において、張り出した状態となる上下方向の線状部分で擦れあって、その部分の印刷が剥がれる場合もあった。
【０００７】
さらに、頂壁５４を開放状態でロックするため、側壁５１と頂壁５４の外フラップ５７との稜部に、罫線５５に交差する２本の切目線を入れてロック片を形成し、ロック片の側壁部を頂壁部の抜出跡に係合させることが考えられるが、罫線５５の傾きに起因して、ロック片の側壁部と頂壁部がずれてしまい、ロックできない場合もあった。
【０００８】
そこで、この発明は、耐圧強度に優れた包装箱を安定して積み上げることができ、側壁の印刷が保護され、ロック片による頂壁の開放ロックも支障なくできるようにすることを課題とする。
【課題を解決するための手段】
【０００９】
上記課題を解決するため、この発明は、側壁と端壁とをコーナー部を介して連設し、これらに底壁及び頂壁を連設した厚紙製包装箱において、前記側壁と底壁及び頂壁との境界となる罫線には、両端寄り及びその中間に水平直線部を設け、両端側の水平直線部と中間の水平直線部との間に、側壁の中心側へ傾いた傾斜部を設けたのである。
【００１０】
また、前記罫線の両端側の水平直線部の長さを、端壁の幅の１／２より大きな寸法に設定したのである。
【００１１】
前記側壁と頂壁との稜部に、罫線の中間の水平直線部に交差する２本の切目線を入れてロック片を形成し、頂壁を開いてロック片を折り曲げると、頂壁が開放ロックされるようにしたのである。
【発明の効果】
【００１２】
この発明に係る厚紙製包装箱では、底壁及び頂壁の両端部に平坦な水平面部分が形成され、底壁及び頂壁の中間部が凹んだ状態となるので、段積み時には、コーナー部に荷重を負担させて、優れた耐圧強度を確保しつつ、下段側包装箱の頂壁端部の水平面部分に、上段側包装箱の底壁端部の水平面部分を載せて、安定して積み上げることができる。
【００１３】
さらに、罫線の両端側の水平直線部の長さを、端壁の幅の１／２より大きな寸法に設定することにより、長手方向を段ごとに交互に直角に捻って積み上げる回し積みをしても、下段側包装箱の頂壁端部の水平面部分に、上段側包装箱の底壁の過半部が載り、安定して積み上げることができる。
【００１４】
また、側壁の長手方向の中間部に平坦な垂直面部が形成されるので、包装箱を横に並べて置いても、側壁同士が、長手方向の中間部で線状に擦れ合って、その部分の印刷が剥がれる現象が防止される。
【００１５】
また、側壁と頂壁との稜部に、罫線の中間の水平直線部に交差する２本の切目線を入れてロック片を形成することにより、頂壁を開いてロック片を折り曲げた際、ロック片の側壁部と頂壁部がずれることがなく、頂壁を確実に開放状態でロックできる。
【図面の簡単な説明】
【００１６】
【図１】この発明に係る厚紙製包装箱の組立状態を示す図
【図２】同上のブランクを示す図
【図３】同上の包装箱の通常の段積み状態を示す斜視図
【図４】同上の回し積み状態を示す斜視図
【図５】同上の回し積み状態の立面図
【図６】同上の頂壁の開放ロック状態を示す斜視図
【図７】従来の耐圧強度向上を図った厚紙製包装箱を示す斜視図
【発明を実施するための形態】
【００１７】
以下、この発明の実施形態を添付図面に基づいて説明する。
【００１８】
図１に示す段ボール製包装箱は、各一対の側壁１と端壁２とをコーナー部を介して連設し、これらに底壁３及び頂壁４を連設した直方体状のものであり、側壁１の横方向が長手方向とされ、端壁２の横方向が幅方向とされている。
【００１９】
この包装箱を展開した図２に示すブランクでは、側壁１、底壁３、側壁１、頂壁４及び継代片５が長辺同士で連設され、側壁１の短辺に内フラップ６が、底壁３及び頂壁４の短辺に外フラップ７がそれぞれ端壁２を形成する部材として連設されている。
【００２０】
側壁１と底壁３及び頂壁４との境界となる罫線８には、両端寄り及びその中間に水平直線部８ａ，８ｂが設けられ、両端側の水平直線部８ａと中間の水平直線部８ｂとの間に、側壁１の中心側へ傾いた傾斜部８ｃが設けられている。また、頂壁４と継代片５との境界となる罫線８も、他の罫線８と同様となるように構成されている。
【００２１】
一方の側壁１の開放端縁である長辺には、罫線８に対応して、両端寄り及びその中間に水平直線部１ａ，１ｂが設けられ、両端側の水平直線部１ａと中間の水平直線部１ｂとの間に、側壁１の中心側へ傾いた傾斜部１ｃが設けられている
【００２２】
頂壁４には、鉤状の切目が断続するジッパ型の切目線９が開封用に入れられ、切目線９は、外フラップ７との境界から両端がやや離れたＶ字状部分と、その両端から側壁１及び継代片５の方向へ延びる縦部分とから構成されている。切目線９のＶ字状部分の中央部には、指入部９ａが切込により設けられている。
【００２３】
側壁１と頂壁４との稜部には、罫線８の中間の水平直線部８ｂに交差する２本の切目線を入れてロック片１０が形成されている。ロック片１０は、側壁部１０ａ及び頂壁部１０ｂから成り、側壁部１０ａは、両側縁が張り出すようにテーパ状とされ、基部が括れている。頂壁部１０ｂの基端には罫線が入れられている。
【００２４】
このようなブランクを図１に示す形態に組み立てて物品を包装する際には、一対の側壁１、底壁３及び頂壁４を、罫線８に沿って四角筒となるように折り曲げ、継代片５を反対側の側壁１に貼り付けて物品を包み込み、内フラップ６及び外フラップ７を順次内側へ折り曲げて貼り合わせ、端壁２を形成する。
【００２５】
上記のような厚紙製包装箱では、底壁３及び頂壁４の両端部に、罫線８の水平直線部８ａにより、平坦な水平面部分が形成され、底壁３及び頂壁４の中間部にも、罫線８の水平直線部８ｂにより、平坦な水平面部分が形成されて、罫線８の傾斜部８ｃにより、底壁３及び頂壁４の中間部が凹んだ状態となる。
【００２６】
このため、図３に示すように、複数の包装箱を、長手方向を揃えて積み上げた通常の段積み時には、コーナー部に荷重を負担させて、優れた耐圧強度を確保しつつ、下段側包装箱の頂壁４の両端部の水平面部分に、上段側包装箱の底壁３の両端部の水平面部分を載せることにより、安定して積み上げることができる。
【００２７】
また、図４に示すように、包装箱の長手方向を段ごとに交互に直角に捻って積み上げる回し積みをした場合においても、図５に示すように、罫線８の両端側の水平直線部８ａの長さＨを、端壁２の幅Ｗの１／２より大きな寸法に設定しておくことにより、下段側包装箱の頂壁４の端部の水平面部分に、上段側包装箱の底壁３の過半部が載るので、安定して積み上げることができる。
【００２８】
さらに、側壁１の長手方向の中間部にも、罫線８の水平直線部８ｂにより、平坦な垂直面部が形成されるので、包装箱を横に並べて置いた状態で、図７に示す従来のＶ字状罫線を入れた包装箱のように、側壁１同士が長手方向の中間部で線状に擦れ合って、その部分の印刷が剥がれる現象が生じることがない。
【００２９】
そして、この包装箱から物品を取り出す際には、図６に示すように、指入部９ａを押し込んで切目線９を切断し、罫線８をヒンジとして、頂壁４の切目線９より内側の部分を開き、この頂壁４の切開部を側壁１の外面に重なるように折り返し、ロック片１０を外側へ折り曲げ、側壁部１０ａの両側の張出部を頂壁部１０ｂの抜出跡に係合させる。
【００３０】
このとき、ロック片１０は、水平直線部８ｂに設けられていることから、側壁部１０ａと頂壁部１０ｂとがずれることなく重なり、頂壁４の切開部を確実に開放状態でロックすることができ、物品を容易に取り出すことができる。
【００３１】
なお、上記実施形態では、罫線８の傾斜部８ｃが斜め方向の直線となっているものを例示したが、傾斜部８ｃは、弧状に湾曲していてもよい。
【００３２】
また、包装箱の形式として、ラップラウンド形式のものを例示したが、各一対の側壁及び端壁を連設し、その上端及び下端に連設した内フラップ及び外フラップで底壁及び頂壁を形成する通常の溝切型段ボール箱においても、同様の構成を適用することができる。
【００３３】
また、直方体状の包装箱を例示したが、コーナー部が面取りされて外周が八角筒状となったような包装箱においても、同様の構成を適用することができる。
【符号の説明】
【００３４】
１  側壁
１ａ，１ｂ  水平直線部
１ｃ  傾斜部
２  端壁
３  底壁
４  頂壁
５  継代片
６  内フラップ
７  外フラップ
８  罫線
８ａ，８ｂ  水平直線部
８ｃ  傾斜部
９  切目線
９ａ  指入部
１０  ロック片
１０ａ  側壁部
１０ｂ  頂壁部
【図１】
2011111213.tif 000003
【図２】
2011111213.tif 000004
【図３】
2011111213.tif 000005
【図４】
2011111213.tif 000006
【図５】
2011111213.tif 000007
【図６】
2011111213.tif 000008
【図７】
2011111213.tif 000009